(57)【要約】【課題】撮影環境により制限を受けることなく、照明光が遮られずに被写体を適切に照明することができ、照明効果も良好であって、携帯性も損なうことがない照明光発光部内蔵カメラ、照射方向変更部材、カメラシステムを提供する。【解決手段】コンバータ２０のキャップであるコンバータレンズキャップ４０の内面である反射面４０ｂに閃光発光部１５が発光した照明光を反射させ、被写体を照明する。これにより、コンバータ２０により照明光を遮られずに、自然な照明を行うことができる。【選択図】図４
2005308786.tif 000002
【特許請求の範囲】
【請求項１】
撮影光学系の光軸に沿った方向に照明光を照射する通常発光位置と、前記通常発光位置における照明光の照射方向とは異なる第２の方向に照明光を照射する第２の発光位置との間を移動可能な照明光発光部と、
前記照明光発光部が前記第２の発光位置において発光した照明光の照射方向を被写体方向へ変更する照射方向変更部材を装着できる照射方向変更部材装着部と、
を備えた照明光発光部内蔵カメラ。
【請求項２】
請求項１に記載の照明光発光部内蔵カメラにおいて、
前記照明光発光部は、前記照射方向変更部材装着部に前記照射方向変更部材を装着したときにのみ前記第２の発光位置に移動できること、
を特徴とする照明光発光部内蔵カメラ。
【請求項３】
請求項１又は請求項２に記載の照明光発光部内蔵カメラにおいて、
前記照射方向変更部材装着部は、照射方向変更部材が装着されたことを検出する検出部を有していること、
を特徴とする照明光発光部内蔵カメラ。
【請求項４】
照明光の照射方向を変更する方向変更部と、
カメラに内蔵された照明光発光部からの照明光の照射方向を前記方向変更部により被写体方向へ変更できるようにカメラに設けられた照射方向変更部材装着部に対して装着するときに使用される装着基部と、
を備えた照射方向変更部材。
【請求項５】
請求項４に記載の照射方向変更部材において、
前記方向変更部は、照明光を反射及び／又は拡散反射して照明光の照射方向を変更すること、
を特徴とする照射方向変更部材。
【請求項６】
請求項４又は請求項５に記載の照射方向変更部材において、
撮影光学系に追加して光学特性を変更する光学特性変更光学系及び／又は撮影光学系を保護するレンズキャップとして使用できること、
を特徴とする照射方向変更部材。
【請求項７】
請求項１から請求項３までのいずれか１項に記載の照明光発光部内蔵カメラと、
請求項４から請求項６までのいずれか１項に記載の照射方向変更部材と、
を備えるカメラシステム。
【発明の詳細な説明】
【技術分野】
【０００１】
本発明は、撮影時に必要な補助照明光として照明光を発光する照明光発光部を内蔵した照明光発光部内蔵カメラ、照明光発光部が発光した照明光を反射する照射方向変更部材、及び、これらを備えたカメラシステムに関するものである。
【背景技術】
【０００２】
被写体の輝度が不十分な場合などに、閃光等の補助照明光を発光して照明を行う閃光発光部を内蔵した照明光発光部内蔵カメラでは、外付けタイプの照明光発光装置と比べて照明光発光部と撮影光学系の光軸との距離が短くなっている。
しかし、照明光発光部と撮影光学系の光軸との距離が近いと、被写体の正面から照明光が当たり立体感のない写真となってしまったり、明暗差がはっきりしすぎて品位に欠けた写真になってしまったりするという問題があった。
このような問題は、大型の外付けタイプの照明光発光装置を用いたり、照明光発光部の前にディフューザ（拡散板）を設けたりすることにより緩和できるが、大型の外付けタイプの照明光発光装置、ディフューザは、携帯性に欠けるという問題があった。
【０００３】
上述の問題を解決するために、特許文献１には、照明光を被写体に向けて直接的に照射する標準照射状態と、照明光を被写体以外の物に反射させてから上記被写体に照射するバウンス照射状態との一方を選択可能な照明光発光照射手段を有したカメラが開示されている。
【０００４】
しかし、特許文献１の手法では、天井のない屋外で使用できないという問題があった。
また、天井が高い場合や、天井が白色以外の色である場合には、屋内であっても良好な撮影結果を得ることができないという問題があった。
【０００５】
ところで、レンズ非交換式のカメラに内蔵されている照明光発光部は、そのカメラが有している撮影光学系の画角をカバーする照射角度に照明光を配光できると共に、撮影レンズ鏡筒によって照明光が遮られないような発光位置に収納位置から移動するものが多い。
一方、このようなレンズ非交換式のカメラでは、通常の撮影レンズの先端に追加的に装着することにより焦点距離を変更するワイドコンバータ、テレコンバータ等のコンバータレンズ、又は、撮影可能距離を短くする接写レンズ等を用いることにより、撮影可能な領域を広げることが多い。
【０００６】
しかし、これらコンバータ、接写レンズ等を装着するとカメラに内蔵されている照明光発光部からの照明光が遮られてしまい、そのコンバータ、接写レンズ等の影が撮影した画像中に写ってしまうという問題があった。
【０００７】
このような問題に対しても、特許文献１に記載のカメラのようにバウンス撮影を行うことができれば、照明光が遮られることなく、被写体を適切に照明できる。
しかし、上述のように、特許文献１の手法では、天井のない屋外で使用できなかったり、天井が高い場合や、天井が白色以外の色である場合には、屋内であっても良好な撮影結果を得ることができなかったりするという問題があった。
【特許文献１】特開平９−１３８４４６号公報
【発明の開示】
【発明が解決しようとする課題】
【０００８】
本発明の課題は、撮影環境により制限を受けることなく、照明光が遮られずに被写体を適切に照明することができ、照明効果も良好であって、携帯性も損なうことがない照明光発光部内蔵カメラ、照射方向変更部材、カメラシステムを提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、撮影光学系（Ｌ１〜Ｌ４）の光軸（Ｏ）に沿った方向に照明光を照射する通常発光位置と、前記通常発光位置における照明光の照射方向とは異なる第２の方向に照明光を照射する第２の発光位置との間を移動可能な照明光発光部（１５）と、前記照明光発光部が前記第２の発光位置において発光した照明光の照射方向を被写体方向へ変更する照射方向変更部材（４０）を装着できる照射方向変更部材装着部（１７）と、を備えた照明光発光部内蔵カメラ（１０）である。
【００１０】
請求項２の発明は、請求項１に記載の照明光発光部内蔵カメラにおいて、前記照明光発光部（１５）は、前記照射方向変更部材装着部（１７）に前記照射方向変更部材（４０）を装着したときにのみ前記第２の発光位置に移動できること、を特徴とする照明光発光部内蔵カメラ（１０）である。
請求項３の発明は、請求項１又は請求項２に記載の照明光発光部内蔵カメラにおいて、前記照射方向変更部材装着部（１７）は、照射方向変更部材が装着されたことを検出する検出部を有していること、を特徴とする照明光発光部内蔵カメラ（１０）である。
【００１１】
請求項４の発明は、照明光の照射方向を変更する方向変更部（４０ｂ）と、カメラに内蔵された照明光発光部（１５）からの照明光の照射方向を前記方向変更部により被写体方向へ変更できるようにカメラに設けられた照射方向変更部材装着部（１７）に対して装着するときに使用される装着基部（４０ａ）と、を備えた照射方向変更部材（４０）である。
【００１２】
請求項５の発明は、請求項４に記載の照射方向変更部材（４０）において、前記方向変更部（４０ｂ）は、照明光を反射及び／又は拡散反射して照明光の照射方向を変更すること、を特徴とする照射方向変更部材（４０）である。
請求項６の発明は、請求項４又は請求項５に記載の照射方向変更部材において、撮影光学系（Ｌ１〜Ｌ４）に追加して光学特性を変更する光学特性変更光学系（Ｌ５，Ｌ６）及び／又は撮影光学系を保護するレンズキャップとして使用できること、を特徴とする照射方向変更部材（４０）である。
【００１３】
請求項７の発明は、請求項１から請求項３までのいずれか１項に記載の照明光発光部内蔵カメラ（１０）と、請求項４から請求項６までのいずれか１項に記載の照射方向変更部材（４０）と、を備えるカメラシステムである。
【発明の効果】
【００１４】
本発明によれば、以下の効果を奏することができる。
（１）照明光発光部が第２の発光位置において発光した照明光の照射方向を被写体方向へ変更する照射方向変更部材を装着できる照射方向変更部材装着部を備えるので、天井がない屋外等であっても、照明光が遮られずに被写体を適切に照明することができる。
【００１５】
（２）照明光発光部は、照射方向変更部材装着部に照射方向変更部材を装着したときにのみ第２の発光位置に移動できるので、照射方向変更部材を装着せずに誤って第２の発光位置で発光してしまうことを防止することができる。
【００１６】
（３）照射方向変更部材装着部は、照射方向変更部材が装着されたことを検出する検出部を有しているので、照射方向変更部材を装着している場合に適した動作をすることができる。例えば、コンバータが装着されている場合に照明光の発光を禁止していても、検出部による検出結果に応じて発光を許可することができる。
【００１７】
（４）照明光の照射方向を変更する方向変更部と、カメラに設けられた照射方向変更部材装着部に対して装着するときに使用される装着基部とを備えた照射方向変更部材であるので、カメラに装着することにより、天井がない屋外等であっても、照明光が遮られずに被写体を適切に照明することができる。
【００１８】
（５）方向変更部は、照明光を反射及び／又は拡散反射して照明光の照射方向を変更するので、簡単な構成により、良好な照明を行うことができる。特に、拡散反射する場合には、より高品位な撮影結果を得ることができる。
【００１９】
（６）光学特性変更光学系及び／又は撮影光学系を保護するレンズキャップとして使用できる照射方向変更部材であるので、携帯性を損なわずに、上記効果を得ることができる。また、照射方向変更部材の持参を忘れてしまうという失敗も防ぐことができる。
【発明を実施するための最良の形態】
【００２０】
照明光が遮られずに被写体を適切に照明することができ、照明効果も良好にするという目的を、照射方向変更部材を装着可能とすることにより、撮影環境により制限を受けることなく、携帯性も損なうことなく実現した。
【実施例】
【００２１】
図１は、本発明によるカメラ１０と、コンバータ２０を有したカメラシステムの不使用時状態を示す図である。
本実施例におけるカメラ１０は、撮影レンズＬ１〜Ｌ４を有した撮影光学系がカメラ１０に固定されたレンズ非交換式のデジタルカメラであり、後述の閃光発光部１５を内蔵した閃光（照明）発光部内蔵カメラ１０である。
撮影レンズ筐体１１には、撮影レンズＬ１，Ｌ２の対物レンズが固定されている。
撮影レンズ筐体１１の内部のレンズ室１２には、撮影レンズＬ３，Ｌ４のフオーカシングレンズが保持されている。このレンズ室１２は、フォーカシング動作時に光軸Ｏに沿った方向に移動して、合焦動作を行う。
【００２２】
撮影レンズ筐体１１の撮影者側（被写体側と反対側）には、撮像用のＣＣＤ１３が固定されている。
カメラ外観ボディ１４の撮影レンズ先端側には、撮影レンズキャップ３０が取り付けられ、撮影レンズＬ１を保護している。
閃光発光部１５は、カメラ上部（図１に示す断面において上方）に備えられており、カメラ電源ＯＦＦ時には、閃光発光部１５が格納された状態（図１に示す状態）となっている照明光発光部である。閃光発光部１５は、回転軸１５ａを中心として回転可能に設けられており、必要に応じて不図示の駆動機構により回転させられ、後述の通常発光位置又は第２の発光位置に移動可能となっている。
【００２３】
コンバータ２０は、撮影光学系（Ｌ１〜Ｌ４）に追加して光学特性を変更する光学特性変更光学系であり、より具体的には、撮影画角を広くすることができるワイドコンバータである。
コンバータ筐体２１には、コンバータレンズＬ５，Ｌ６が固定され、コンバータ筐体２１の前後（使用時に被写体側となる側を前、カメラ側となる側を後、以下同じ）には、それぞれコンバータレンズキャップ４０，５０が取り付けられ、コンバータレンズＬ５，Ｌ６を保護している。
コンバータレンズキャップ４０の外縁部には、後述のレンズキャップ装着部１７に取り付けるときに使用される装着基部４０ａが設けられている。
また、コンバータレンズキャップ４０の内面（コンバータレンズＬ５に対向する面）側には、鏡面に形成された反射面４０ｂが、照明光の照射方向を変更する方向変更部として設けられている。
コンバータレンズキャップ４０は、この装着基部４０ａ及び反射面４０ｂが設けられていることにより、後述する照明光の照射方向を変更する照射方向変更部材としての機能を有している。
【００２４】
図２は、本実施例のカメラ１０の通常使用状態を示している。
図２に示す撮影状態では、撮影レンズキャップ３０は、取り外されている。カメラ電源ＯＮ時には、閃光発光部１５が回転軸１５ａを中心に回転し、当接部１５ｂが回転制限部材１６に当接して、通常発光位置に固定される。図２のような通常撮影時には、当然ながら閃光発光部１５からの照明光（以下、閃光照射光）が遮られる（けられる）ことはない。
【００２５】
図３は、コンバータ２０を装着した状態を示す図である。
図３に示す状態では、コンバータ２０の前後のコンバータレンズキャップ４０，５０は取り外されている。また、コンバータ筐体２１の雄ネジ２１ａをカメラ外観ボディ１４の雌ネジ１４ａに噛み合わせる事により、コンバータ２０は、カメラ１０に装着している。コンバータ２０の外形により閃光照射光が遮られており、このままでは、コンバータ使用時には、閃光発光を伴った撮影を行っても、得られた画像の一部にコンバータ２０の外形の影が写り込んでしまい、良好な結果を得ることができない。
【００２６】
よって、本実施例のカメラ１０では、コンバータレンズ２０を使用することを不図示の設定入力手段により撮影者が設定入力した場合（コンバータモード）には、ズーム、及び、フォーカス駆動の制御をコンバータレンズ２０の使用に適した制御とすると共に、閃光発光部１５の発光を禁止している。
しかし、閃光発光部１５の発光を禁止すると、撮影可能な条件が限定されてしまうという問題が発生してしまう。
【００２７】
そこで、本実施例では、閃光発光部１５からの照明光を一度コンバータレンズキャップ４０に反射させることにより閃光照射光の照射方向を被写体方向へ向けてやることにより、閃光照射光が遮られることを防止している。
以下、このコンバータレンズキャップ４０を利用した照明方法について説明する。
図４は、コンバータレンズキャップ４０をカメラに取り付けた状態を示す図である。
図４の状態では、回転制限部材１６は取り外されている。
回転制限部材１６を取り外した部分には、レンズキャップ装着部１７が照射方向変更部材装着部として設けられている。このレンズキャップ装着部１７には、係止ばね１８が設けられている。
回転制限部材１６を取り外すと、閃光発光部１５は、当接部１５ｂがカメラ外観ボディ１４に当接する第２の発光位置まで回転し、閃光照射方向は通常撮影時よりも上向きとなる。
【００２８】
ここで、コンバータレンズキャップ４０の装着基部４０ａをレンズキャップ装着部１７に差込むと、係止ばね１８の付勢力によりコンバータレンズキャップ４０がカメラ１０に固定される。また、不図示の検出部が、コンバータレンズキャップ４０の装着基部４０ａがレンズキャップ装着部１７に差し込まれたことを検出し、閃光発光部１５の発光禁止を解除する。
先に述べたように、コンバータレンズキャップ４０の内面側には、鏡面に形成された反射面４０ｂが設けられている。したがって、図４に示す状態で閃光発光部１５が発光すれば、その上向きの閃光照射光を反射して、被写体方向に向けることができる。
【００２９】
このように、本実施例によれば、コンバータレンズキャップ４０の反射面４０ｂの作用により、コンバータ２０による閃光照射光のけられがなくなり、コンバータ２０を使用する場合にも不自然な影などが生じることなく、閃光撮影を行うことができる。
また、コンバータレンズキャップ４０を利用しているので、外部閃光発光装置を用意したり、別途ディフューザを用意したりする必要がなく、携帯性を損なうことなく、コンバータを使用した閃光撮影を行うことができる。
【００３０】
（変形例）
以上説明した実施例に限定されることなく、種々の変形や変更が可能であって、それらも本発明の均等の範囲内である。
（１）本実施例において、コンバータレンズキャップ４０を使用して閃光照射光を反射した例を示したが、これに限らず、例えば、撮影レンズキャップ３０を使用してもよいし、コンバータレンズキャップ５０を使用してもよい。
【００３１】
（２）本実施例において、コンバータレンズキャップ４０の反射面４０ｂは、鏡面反射面である例を示したが、これに限らず、例えば、照明光を拡散反射する拡散反射面としてもよい。拡散反射面とする場合には、被写体に柔らかい光を照射することができ、より自然な撮影結果を得ることができる。
【００３２】
（３）本実施例において、コンバータレンズキャップ４０の反射面４０ｂは、内面側にのみ設けた例を示したが、これに限らず、例えば、外面側に拡散反射面などの別の特性の反射面を設けてもよい。
【００３３】
（４）本実施例において、コンバータモードでは、閃光発光部１５の発光を禁止する例を示したが、これに限らず、常に発光を許可しているカメラに本発明を適用してもよい。
【００３４】
（５）本実施例において、不図示の検出部は、コンバータレンズキャップ４０の装着基部４０ａがレンズキャップ装着部１７に差し込まれたことを検出する例を示したが、これに限らず、例えば、閃光発光部１５の回転位置を検出してもよいし、検出部を設けなくてもよい。
【００３５】
（６）本実施例において、コンバータレンズキャップ４０を照射方向変更部材として利用する例を示したが、これに限らず、例えば、照射方向の変更を行うための専用の反射板などの部材を用いるようにしてもよい。
【００３６】
（７）本実施例において、照明光として静止画撮影に適した閃光を発光する閃光発光部１５を備えた閃光発光部内蔵カメラ１０を例に挙げて説明したが、これに限らず、例えば、動画の撮影にも適した継続的に発光するライト、白色ＬＥＤ等を備えたカメラに対して本発明を適用してもよい。
【図面の簡単な説明】
【００３７】
【図１】本発明によるカメラ１０と、コンバータ２０を有したカメラシステムの不使用時状態を示す図である。
【図２】本実施例のカメラ１０の通常使用状態を示している。
【図３】コンバータ２０を装着した状態を示す図である。
【図４】コンバータレンズキャップ４０をカメラに取り付けた状態を示す図である。
【符号の説明】
【００３８】
１０  カメラ
１１  撮影レンズ筐体
１２  レンズ室
１３  ＣＣＤ
１４  カメラ外観ボディ
１４ａ  雌ネジ
１５  閃光発光部
１５ａ  回転軸
１５ｂ  当接部
１６  回転制限部材
１７  レンズキャップ装着部
１８  係止ばね
２０  コンバータ
２１  コンバータ筐体
２１ａ  雄ネジ
３０  撮影レンズキャップ
４０，５０  コンバータレンズキャップ
４０ａ  装着基部
４０ｂ  反射面
Ｌ１〜Ｌ４  撮影レンズ
Ｌ５，Ｌ６  コンバータレンズ
【図１】
2005308786.tif 000003
【図２】
2005308786.tif 000004
【図３】
2005308786.tif 000005
【図４】
2005308786.tif 000006